(57)【要約】【課題】通信ネットワーク上でユーザのＷｅｂページ作成を支援するＷｅｂページ作成支援サーバであって、他のサービス提供者の提供するＷｅｂサーバで公開するためのＷｅｂページを作成することのできるＷｅｂページ作成支援サーバを提供する。【解決手段】Ｗｅｂページ作成支援サーバ１は、通信ネットワーク３を介して接続されたユーザ端末２に、保有するＷｅｂページの雛型の情報を表示して、ユーザ端末２からＷｅｂページ雛型の指定情報を受け付ける。そして、指定されたＷｅｂページ雛形とユーザ端末２から受け付けたＷｅｂページ掲載データとを用いてＷｅｂページ構成ファイルを作成して、ユーザ端末２にダウンロードする。【選択図】        図１
2004171462.tif 000002
【特許請求の範囲】
【請求項１】
ネットワークを介して接続されたユーザ端末からＷｅｂページに掲載するデータの入力を受け付けるＷｅｂページ掲載データ受付手段と、
前記Ｗｅｂページ掲載データ受付手段により受け付けたＷｅｂページ掲載データを用いてＷｅｂページを構成するファイルを作成するＷｅｂページ構成ファイル作成手段と、
前記Ｗｅｂページ構成ファイル作成手段により作成したＷｅｂページ構成ファイルを前記ユーザ端末に出力するＷｅｂページ構成ファイル出力手段と、
を有することを特徴とするＷｅｂページ作成支援サーバ。
【請求項２】
Ｗｅｂページの雛型を格納したＷｅｂページ雛型格納手段と、
前記ユーザ端末に前記Ｗｅｂページ雛型格納手段に格納されたＷｅｂページ雛型の情報を表示して、前記ユーザ端末からＷｅｂページ雛型の指定情報を受け付けるＷｅｂページ雛型指定情報受付手段とをさらに有し、
前記Ｗｅｂページ構成ファイル作成手段は、前記Ｗｅｂページ雛型指定情報受付手段により受け付けたＷｅｂページ雛型指定情報で指定されたＷｅｂページ雛型と前記Ｗｅｂページ掲載データとを用いてＷｅｂページ構成ファイルを作成することを特徴とする、
請求項１に記載のＷｅｂページ構成ファイル提供サーバ。
【請求項３】
前記Ｗｅｂページ構成ファイルは、マークアップ言語で記述された文書ファイルおよびそのリンクファイルである請求項１または２に記載のＷｅｂページ構成ファイル提供サーバ。
【請求項４】
ネットワークを介して接続されたユーザ端末からＷｅｂページに掲載するデータの入力を受け付ける段階（１）と、
段階（１）で受け付けたＷｅｂページ掲載データを用いてＷｅｂページを構成するファイルを作成する段階（２）と、
段階（２）で作成したＷｅｂページ構成ファイルを前記ユーザ端末に出力する段階（３）と、
を有することを特徴とするＷｅｂページ作成支援方法。
【請求項５】
前記ユーザ端末に保有するＷｅｂページの雛型の情報を表示して、前記ユーザ端末からＷｅｂページ雛型の指定情報を受け付ける段階（４）をさらに有し、
段階（２）は、段階（４）で受け付けたＷｅｂページ雛型指定情報で指定されたＷｅｂページ雛型と前記Ｗｅｂページ掲載データとを用いてＷｅｂページ構成ファイルを作成することを特徴とする、
請求項４に記載のＷｅｂページ作成支援方法。
【請求項６】
前記Ｗｅｂページ構成ファイルは、マークアップ言語で記述された文書ファイルおよびそのリンクファイルである請求項４または５に記載のＷｅｂページ作成支援方法。
【請求項７】
ネットワークを介して接続されたユーザ端末からＷｅｂページに掲載するデータの入力を受け付ける手順（１）と、
手順（１）で受け付けたＷｅｂページ掲載データを用いてＷｅｂページを構成するファイルを作成する手順（２）と、
手順（２）で作成したＷｅｂページ構成ファイルを前記ユーザ端末に出力する手順（３）と、
をＷｅｂページ作成支援サーバに実行させることを特徴とするＷｅｂページ作成支援プログラム。
【請求項８】
前記ユーザ端末に保有するＷｅｂページの雛型の情報を表示して、前記ユーザ端末からＷｅｂページ雛型の指定情報を受け付ける手順（４）をさらにＷｅｂページ作成支援サーバに実行させるものであり、
手順（２）は、手順（４）で受け付けたＷｅｂページ雛型指定情報で指定されたＷｅｂページ雛型と前記Ｗｅｂページ掲載データとを用いてＷｅｂページ構成ファイルを作成することを特徴とする、
請求項７に記載のＷｅｂページ作成支援プログラム。
【請求項９】
前記Ｗｅｂページ構成ファイルは、マークアップ言語で記述された文書ファイルおよびそのリンクファイルである請求項７または８に記載のＷｅｂページ作成支援プログラム。
【発明の詳細な説明】
【０００１】
【発明の属する技術分野】
本発明は、ユーザのＷｅｂページ作成を通信ネットワーク上で支援するＷｅｂページ作成支援サーバに関する。
【０００２】
【従来の技術】
インターネット等の通信ネットワーク上で、ユーザのＷｅｂページ作成を支援するとともに、作成したＷｅｂページを所定のＷｅｂサーバに自動的にアップロードするＷｅｂページ作成支援サーバが知られている（例えば、特許文献１参照）。かかるＷｅｂページ作成支援サーバでは、作成したＷｅｂページを既定のＷｅｂサーバ、即ち同じサービス提供者が提供するＷｅｂサーバにアップロードするものであるため、他のサービス提供者の提供するＷｅｂサーバ、例えばユーザが契約している他のインターネットサービスプロバイダのＷｅｂサーバや会社のイントラネット内のＷｅｂサーバ等で公開するためのＷｅｂページを作成するという用途では利用することができなかった。
【０００３】
【特許文献１】
特開２００１−２４３１８１号公報
【０００４】
【発明が解決しようとする課題】
本発明は上記従来技術の有する問題点に鑑みなされたものであり、その目的とするところは、通信ネットワーク上でユーザのＷｅｂページ作成を支援するＷｅｂページ作成支援サーバであって、他のサービス提供者の提供するＷｅｂサーバで公開するためのＷｅｂページを作成することのできるＷｅｂページ作成支援サーバを提供することにある。
【０００５】
【課題を解決するための手段】
本発明の上記目的は、下記の手段によって達成される。
【０００６】
（ａ）  ネットワークを介して接続されたユーザ端末からＷｅｂページに掲載するデータの入力を受け付けるＷｅｂページ掲載データ受付手段と、
前記Ｗｅｂページ掲載データ受付手段により受け付けたＷｅｂページ掲載データを用いてＷｅｂページを構成するファイルを作成するＷｅｂページ構成ファイル作成手段と、
前記Ｗｅｂページ構成ファイル作成手段により作成したＷｅｂページ構成ファイルを前記ユーザ端末に出力するＷｅｂページ構成ファイル出力手段と、
を有することを特徴とするＷｅｂページ作成支援サーバ。
【０００７】
（ｂ）  Ｗｅｂページの雛型を格納したＷｅｂページ雛型格納手段と、
前記ユーザ端末に前記Ｗｅｂページ雛型格納手段に格納されたＷｅｂページ雛型の情報を表示して、前記ユーザ端末からＷｅｂページ雛型の指定情報を受け付けるＷｅｂページ雛型指定情報受付手段とをさらに有し、
前記Ｗｅｂページ構成ファイル作成手段は、前記Ｗｅｂページ雛型指定情報受付手段により受け付けたＷｅｂページ雛型指定情報で指定されたＷｅｂページ雛型と前記Ｗｅｂページ掲載データとを用いてＷｅｂページ構成ファイルを作成することを特徴とする、
（ａ）に記載のＷｅｂページ構成ファイル提供サーバ。
【０００８】
（ｃ）  前記Ｗｅｂページ構成ファイルは、マークアップ言語で記述された文書ファイルおよびそのリンクファイルである（ａ）または（ｂ）に記載のＷｅｂページ構成ファイル提供サーバ。
【０００９】
（ｄ）  ネットワークを介して接続されたユーザ端末からＷｅｂページに掲載するデータの入力を受け付ける段階（１）と、
段階（１）で受け付けたＷｅｂページ掲載データを用いてＷｅｂページを構成するファイルを作成する段階（２）と、
段階（２）で作成したＷｅｂページ構成ファイルを前記ユーザ端末に出力する段階（３）と、
を有することを特徴とするＷｅｂページ作成支援方法。
【００１０】
（ｅ）  前記ユーザ端末に保有するＷｅｂページの雛型の情報を表示して、前記ユーザ端末からＷｅｂページ雛型の指定情報を受け付ける段階（４）をさらに有し、
段階（２）は、段階（４）で受け付けたＷｅｂページ雛型指定情報で指定されたＷｅｂページ雛型と前記Ｗｅｂページ掲載データとを用いてＷｅｂページ構成ファイルを作成することを特徴とする、
（ｄ）に記載のＷｅｂページ作成支援方法。
【００１１】
（ｆ）  前記Ｗｅｂページ構成ファイルは、マークアップ言語で記述された文書ファイルおよびそのリンクファイルである（ｄ）または（ｅ）に記載のＷｅｂページ作成支援方法。
【００１２】
（ｇ）  ネットワークを介して接続されたユーザ端末からＷｅｂページに掲載するデータの入力を受け付ける手順（１）と、
手順（１）で受け付けたＷｅｂページ掲載データを用いてＷｅｂページを構成するファイルを作成する手順（２）と、
手順（２）で作成したＷｅｂページ構成ファイルを前記ユーザ端末に出力する手順（３）と、
をＷｅｂページ作成支援サーバに実行させることを特徴とするＷｅｂページ作成支援プログラム。
【００１３】
（ｈ）  前記ユーザ端末に保有するＷｅｂページの雛型の情報を表示して、前記ユーザ端末からＷｅｂページ雛型の指定情報を受け付ける手順（４）をさらにＷｅｂページ作成支援サーバに実行させるものであり、
手順（２）は、手順（４）で受け付けたＷｅｂページ雛型指定情報で指定されたＷｅｂページ雛型と前記Ｗｅｂページ掲載データとを用いてＷｅｂページ構成ファイルを作成することを特徴とする、
（ｇ）に記載のＷｅｂページ作成支援プログラム。
【００１４】
（ｉ）  前記Ｗｅｂページ構成ファイルは、マークアップ言語で記述された文書ファイルおよびそのリンクファイルである（ｇ）または（ｈ）に記載のＷｅｂページ作成支援プログラム。
【００１５】
【発明の実施の形態】
以下、本発明の実施の形態を、図面を参照して詳細に説明する。
【００１６】
図１は、本発明の実施形態にかかるＷｅｂページ作成支援サーバを含むＷｅｂページ作成支援システムの全体構成を示すブロック図である。本実施形態のＷｅｂページ作成支援システムは、Ｗｅｂページ作成支援サーバ１と、ユーザ端末２とが、通信ネットワーク３を介して相互に通信可能に接続されてなるものである。なお、通信ネットワーク３に接続される機器の種類および台数は、図１に示す例に限定されない。
【００１７】
図２は、本実施形態にかかるＷｅｂページ作成支援サーバ１の構成を示すブロック図である。図２において、Ｗｅｂページ作成支援サーバ１はコンピュータであり、ＣＰＵ１１、ＲＯＭ１２、ＲＡＭ１３、ハードディスク１４、ディスプレイ１５、入力装置１６、ネットワークインタフェース１７を備えており、これらは信号をやり取りするためのバス１８を介して相互に接続されている。
【００１８】
ＣＰＵ１１は、プログラムにしたがって上記各部の制御や各種の演算処理等を行う。ＲＯＭ１２は、各種プログラムやパラメータを格納する。ＲＡＭ１３は、作業領域として一時的にプログラムやデータを記憶する。ハードディスク１４は、各種プログラムやデータを記憶する。本実施形態において、Ｗｅｂページ作成支援サーバ１は後述する所定の動作を行うが、このためのＷｅｂページ作成支援サーバ１の動作を制御するプログラムは、ハードディスク１４に格納されており、動作開始の際にＲＡＭ１３に読み出されてＣＰＵ１１によって実行される。
【００１９】
ディスプレイ１５は、各種の情報を表示する。入力装置１６は、キーボードやマウス等であり、Ｗｅｂページ作成支援サーバ１に各種データを入力するために使用される。ネットワークインタフェース１７は、ネットワークに接続しネットワーク上の他の機器と通信するためのインタフェースである。
【００２０】
Ｗｅｂページ作成支援サーバ１は、ＷＷＷサーバ機能を有し、自己が格納するＨＴＭＬファイルを通信ネットワーク３上に公開し、ＨＴＴＰ等のプロトコルによりユーザ端末２からの要求に応じてＨＴＭＬファイルおよびそのリンクファイルをユーザ端末２に転送する機能を有する。
【００２１】
ユーザ端末２は、ユーザの所持するパソコン、ワークステーション等のコンピュータであり、Ｗｅｂページ作成支援サーバ１と同様の構成を有する。ユーザ端末２は、Ｗｅｂ閲覧機能を有し、ＷｅｂサーバにＨＴＭＬ等の文書ファイルの転送要求を送信して、Ｗｅｂサーバから当該文書ファイルおよびそのリンクファイルを受信しディスプレイ上に表示する。
【００２２】
通信ネットワーク３は、電話網、移動通信網、ＩＳＤＮ、パケット交換網等の公衆網、およびＬＡＮ、ＷＡＮ、インターネット等のコンピュータネットワークを含むものである。
【００２３】
つぎに、本実施形態におけるＷｅｂページ作成支援システムの動作の概要を説明する。図３は、本実施形態におけるＷｅｂページ作成支援サーバ１のＷｅｂページ作成支援処理の手順を示すフローチャートである。図３において、Ｗｅｂページ作成支援サーバ１は、ユーザ端末２からＷｅｂページ作成支援サービスの開始要求があるまで待機する（Ｓ１０１のＮＯ）。ユーザは、ユーザ端末２のＷｅｂ閲覧機能によりＷｅｂページ作成支援サーバ１にアクセスし、ユーザ端末２のディスプレイに表示される、図４に示すようなＷｅｂページ作成支援サービスの開始ページから、開始要求ボタン（図中の「ＹＥＳ」ボタン）をポインタで指示することにより、Ｗｅｂページ作成支援サーバ１にＷｅｂページ作成支援サービスの開始要求を送信する。
【００２４】
Ｗｅｂページ作成支援サーバ１は、通信ネットワーク３およびネットワークインタフェース１７を介してユーザ端末２からＷｅｂページ作成支援サービスの開始要求を受信すると（Ｓ１０１のＹＥＳ）、所有しているＷｅｂページ雛型の中から利用するＷｅｂページ雛型をユーザに指定させるためのＷｅｂページ雛型情報を記載したＨＴＭＬファイルをユーザ端末２に送信して、当該Ｗｅｂページ雛型情報をユーザ端末２のディスプレイに表示させ（Ｓ１０２）、ユーザ端末２からＷｅｂページ雛型の指定情報を受信するまで待機する（Ｓ１０３のＮＯ）。図５は、ユーザ端末２のディスプレイに表示されるＷｅｂページ雛型情報の一例を示す図である。図５において、Ｗｅｂページ雛型情報画面５には、Ｗｅｂページ作成支援サーバ１が所有しているＷｅｂページ雛型の情報が、例えばサムネイル表示により示されている。ユーザが、利用したいＷｅｂページ雛型のサムネイルをポインタで指示することによりＷｅｂページ雛型を指定すると、ユーザ端末２はユーザが指定したＷｅｂページ雛型の情報をＷｅｂページ作成支援サーバ１に送信する。
【００２５】
Ｗｅｂページ作成支援サーバ１は、通信ネットワーク３およびネットワークインタフェース１７を介してユーザ端末２からＷｅｂページ雛型指定情報を受信すると（Ｓ１０３のＹＥＳ）、受信したＷｅｂページ雛型指定情報に基づいてハードディスク１５から指定されたＷｅｂページ雛型をＲＡＭ１３上に読み出し、読み出したＷｅｂページ雛型をユーザ端末２に送信して、ユーザ端末２のディスプレイ上に表示させ（Ｓ１０４）、ユーザ端末２からＷｅｂページ掲載データを受信するまで待機する（Ｓ１０５のＮＯ）。図６は、ユーザ端末２のディスプレイに表示されるＷｅｂページ雛型の一例を示す図である。ユーザは、ディスプレイに表示されたＷｅｂページ雛型６に、テキストを入力したり画像を貼り付けたりすることによってＷｅｂページ雛型を編集して「ＯＫ」ボタンを指示することにより、Ｗｅｂページ作成支援サーバ１にＷｅｂページ掲載データを送信する。
【００２６】
Ｗｅｂページ作成支援サーバ１は、通信ネットワーク３およびネットワークインタフェース１７を介してユーザ端末２からＷｅｂページ掲載データを受信すると（Ｓ１０５のＹＥＳ）、受信したＷｅｂページ雛型およびＷｅｂページ掲載データから、Ｗｅｂページ構成ファイルとしてＨＴＭＬファイルおよびそのリンクファイルを作成し（Ｓ１０６）、作成したＷｅｂページ構成ファイルをネットワークインタフェース１７および通信ネットワーク３を介して、ユーザ端末２にダウンロードする（Ｓ１０７）。図７は、図６のＷｅｂページ雛型７から作成されユーザ端末２にダウンロードされたＷｅｂページ構成ファイルの一例を示す図である。ユーザは、Ｗｅｂページ作成支援サーバ１からダウンロードしたＷｅｂページ構成ファイルを、他のサービス提供者の提供するＷｅｂサーバ、例えばユーザが契約している他のインターネットサービスプロバイダのＷｅｂサーバや会社のイントラネット内のＷｅｂサーバ等の所定の割り当て領域にアップロードすることにより、作成したＷｅｂページを公開することができる。
【００２７】
本発明においては、Ｗｅｂページ作成支援サーバにより提供されるＷｅｂページ作成支援サービスの利用に対して、ユーザに課金する構成としてもよい。この場合、サービスの利用ごとに、または作成したＷｅｂページの枚数、容量等に応じて、所定の金額を、サービスの利用開始前または終了後に、オンラインによるクレジットカード決済や銀行口座引き落とし、電子マネー等の電子決済により、またはオフラインによる各種決済によりユーザに課金することができる。
【００２８】
上記実施形態では、Ｗｅｂページ作成支援サーバ１は所有するＷｅｂページ雛型のサムネイル表示して利用するＷｅｂページ雛型を選択させるものであったが、本発明はかかる態様に限定されるものではなく、例えば、目的または用途のみから雛型を選択させるものであってもよいし、各種キーワードを選択させることにより適切な雛型を自動選定する構成としてもよい。また、上記実施形態では、Ｗｅｂページ作成支援サーバが提供するＷｅｂページ雛型は作成したいＷｅｂページの全体に適用されるものであったが、作成したいＷｅｂページの一部のみに適用されるものであってもよい。さらに、上記実施例においては、Ｗｅｂページの作成を支援する方法として、Ｗｅｂページ雛型を利用する態様について説明したが、本発明においては、必ずしもＷｅｂページ雛型を利用する必要はなく、例えば、ヘッダ、フッタ、メニュー、背景、フォント、画像、定型文等のＷｅｂページを構成する部品の一部または全部を任意に提供することによってＷｅｂページの作成を支援するものであっても構わない。
【００２９】
上記実施例では、Ｗｅｂページ作成支援サーバが作成するＷｅｂページ構成ファイルをＨＴＭＬおよびそのリンクファイルとして説明したが、本発明はこれに限定されるものではなく、ＸＭＬ等のその他のマークアップ言語で記述された文書ファイルおよびそのリンクファイルであってもよい。
【００３０】
また、上記実施例では、ユーザ端末はコンピュータであったが、携帯電話、ＰＨＳ（登録商標）、ＰＤＡ、電子手帳等の携帯端末であっても構わない。
【００３１】
本発明によるＷｅｂページ作成支援サーバおよびＷｅｂページ作成支援方法は、上記各手順を記述した所定のプログラムをＣＰＵが実行することによって実現することができる。この場合、Ｗｅｂページ作成支援サーバを動作させる上記所定のプログラムは、フロッピー（登録商標）ディスクやＣＤ−ＲＯＭ等のコンピュータ読取可能な記録媒体によって提供されてもよいし、インターネット等のネットワークを介してオンラインで提供されてもよい。この場合、コンピュータ読取可能な記録媒体に記録されたプログラムは、通常、ハードディスク等に転送され記憶される。また、このプログラムは、たとえば、単独のアプリケーションソフトとして提供されてもよいし、Ｗｅｂページ作成支援サーバの一機能としてその装置のソフトウエアに組み込まれてもよい。
【００３２】
【発明の効果】
上述したように、本発明のＷｅｂページ作成支援サーバによれば、通信ネットワーク上でユーザのＷｅｂページ作成を支援するとともに、作成したＷｅｂページをユーザ端末にダウンロードするので、他のサービス提供者の提供するＷｅｂサーバ、例えばユーザが契約している他のインターネットサービスプロバイダのＷｅｂサーバや会社のイントラネット内のＷｅｂサーバ等で公開するためのＷｅｂページを作成するために利用することができる。
【図面の簡単な説明】
【図１】本発明の実施形態にかかるＷｅｂページ作成支援サーバを含むＷｅｂページ作成支援システムの全体構成を示すブロック図である。
【図２】図１におけるＷｅｂページ作成支援サーバ１の構成を示すブロック図である。
【図３】Ｗｅｂページ作成支援サーバ１のＷｅｂページ作成支援処理の手順を示すフローチャートである。
【図４】ユーザ端末２のディスプレイに表示されるＷｅｂページ作成支援サービスの開始ページの一例を示す図である。
【図５】ユーザ端末２のディスプレイに表示されるＷｅｂページ雛型情報の一例を示す図である。
【図６】ユーザ端末２のディスプレイに表示されるＷｅｂページ雛型の一例を示す図である。
【図７】図６のＷｅｂページ雛型７から作成されユーザ端末２にダウンロードされたＷｅｂページ構成ファイルの一例を示す図である。
【符号の説明】
１…Ｗｅｂページ作成支援サーバ、
１１…ＣＰＵ、
１２…ＲＯＭ、
１３…ＲＡＭ、
１４…ハードディスク、
１５…ディスプレイ、
１６…入力装置、
１７…ネットワークインタフェース、
１８…バス、
２…ユーザ端末、
３…通信ネットワーク。
【図１】
2004171462.tif 000003
【図２】
2004171462.tif 000004
【図３】
2004171462.tif 000005
【図４】
2004171462.tif 000006
【図５】
2004171462.tif 000007
【図６】
2004171462.tif 000008
【図７】
2004171462.tif 000009